(57)【要約】      （修正有）【課題】樹木葬方式でペットの遺骸を弔う環境保護的風潮に対し最良のソリューションを提供する植栽容器構造を提供する。【解決手段】植栽容器構造は、固態骨質肥料容器及び植栽容器２０を有する。植栽容器２０には植物４０を栽培する培養土３０を収容し、固態骨質肥料容器は培養土３０中に挿入される。且つ固態骨質肥料容器は本体部１２及びビーク部１４を有し、ビーク部１４は少なくとも１個の孔洞を備える。固態骨質肥料容器は固態骨質肥料１８を収容するために用い、且つ固態骨質肥料１８は孔洞を経て培養土３０中に流入し、植物４０の成長に必要な元肥を提供する。固態骨質肥料容器中の固態骨質肥料１８は非常に優れた緩慢有効性を有し、ゆっくりと流出し培養土３０に染み込むため、使用時間を延長することができる。【選択図】図１
0003210300.tif 000002
【実用新案登録請求の範囲】
【請求項１】
植栽容器構造は、植物栽培に用い、キャリアサポートフレーム上に設置し、
該植栽容器構造は、植栽容器、少なくとも１個の固態骨質肥料容器を有し、
前記植栽容器は、培養土を入れるために用い、
前記少なくとも１個の固態骨質肥料容器は、前記培養土中に挿入し、本体部及びビーク部を有し、前記本体部は、前記ビーク部に一体に連結し、且つ前記ビーク部は、前記ビーク部の尖端或いは側壁に位置する少なくとも１個の孔洞を有し、前記各固態骨質肥料容器は、固態骨質肥料を収容するために用い、且つ前記固態骨質肥料は、孔洞を経て流出し、前記培養土中に染み込み、前記植物の成長に必要な元肥を提供し、
前記キャリアサポートフレームは、多数のプラットフォーム及び多数の垂直バーにより構成され、前記各プラットフォームは水平に配置し、前記各垂直バーは垂直に配置し、且つ前記各プラットフォームは、少なくとも１個の第一ネジにより、個別の垂直バーに螺合して連結され、これにより前記固態骨質肥料容器は、前記プラットフォーム上に設置されることを特徴とする植栽容器構造。
【請求項２】
前記固態骨質肥料容器は、上蓋部をさらに有し、且つ前記上蓋部は、離脱可能な方式で、前記本体部の開口に嵌めて設置して密封し、隔絶作用を提供し、前記固態骨質肥料を保護することを特徴とする請求項１に記載の植栽容器構造。
【請求項３】
前記離脱可能な方式は、ネジによる螺合方式或いは緊迫方式を含むことを特徴とする請求項１に記載の植栽容器構造。
【請求項４】
前記固態骨質肥料は、ペットの遺骨、火葬後の遺灰、或いは一般に市販されている骨粉を含むことを特徴とする請求項１に記載の植栽容器構造。
【請求項５】
前記キャリアサポートフレームのプラットフォームは、横方向バー及びキャリア板を有し、
前記横方向バーは、少なくとも１個の第二ネジにより、前記キャリア板に螺合され連結されることを特徴とする請求項１に記載の植栽容器構造。
【請求項６】
前記植栽容器は、前記植栽容器の外縁から内部へと延長して形成される少なくとも１個の固定部をさらに有し、且つ前記各固定部は、前記固態骨質肥料容器を挿入して設置する孔洞を有することを特徴とする請求項１に記載の植栽容器構造。
【考案の詳細な説明】
【技術分野】
【０００１】
本考案は植栽容器構造に関し、特に固態骨質肥料を収容する容器を有し、サポートフレームプラットフォーム上に設置し、直立式植生壁を構成する植栽容器構造に関する。
【背景技術】
【０００２】
一般に、都市型居住環境では、広い土地を確保し、大面積で植物を栽培することは非常に難しい。そのため、鉢植えが常用され、それを屋上、ベランダ、或いは屋外の空き地に置き、陽光を確保する。
【０００３】
一方、近年一般の人がペットを飼う風潮はますます人がっているが、ペットの遺骸を環境にやさしい樹木葬の方式で葬ることが、環境を重視する人々や飼い主に支持され始めている。現在行われている方法は、ペットの遺体を火葬した後、遺灰を海や川、野外の土中や植木鉢中に散骨するものであるが、中でも室内の植木鉢中への散骨が、一般人に最も受け入れられている。しかしながら、遺灰は豊富なリンと窒素を含むため、そのまま植木鉢に撒けば、植物の正常な成長に悪影響を及ぼし、過度な成長、或いは成長を阻害する状況が発生し得る。
【考案の概要】
【考案が解決しようとする課題】
【０００４】
本考案は簡単な構造及び環境保護効果を備え、ペットの遺骸或いは遺灰を収容でき、ゆっくりと土壌中に放出させられ、特に操作が便利で、上述の従来の技術に存在する問題を解決できる植栽容器構造に関する。
【課題を解決するための手段】
【０００５】
本考案による植栽容器構造は、少なくとも１個の固態骨質肥料容器及び植栽容器を有する。該植栽容器は、植物栽培に用いる培養土を収容し、該固態骨質肥料容器は、培養土中に挿入する。且つ該固態骨質肥料容器は、本体部及びビーク部を有する。該本体部は、ビーク部を一体に連結し、該ビーク部は、尖端或いは側壁に位置する少なくとも１個の孔洞を有する。該固態骨質肥料容器には、固態骨質肥料を収容でき、且つ該固態骨質肥料は、孔洞を経て培養土中に流入し、植物の成長に必要な元肥を提供する。
【０００６】
本考案による植栽容器構造において、該固態骨質肥料容器は、上蓋部をさらに有する。
該上蓋部は、離脱可能な方式で、該本体部の開口に嵌めて設置し、隔絶作用を提供し、該固態骨質肥料容器中の固態骨質肥料を保護する。該固態骨質肥料容器中の固態骨質肥料は、非常に優れた緩慢有効性を有し、ゆっくりと流出して培養土に染み込むため、使用時間を延長することができる。
【考案の効果】
【０００７】
本考案は、樹木葬の方式を利用し、ペットの遺骸を弔う環境保護的風潮に対して、最良のソリューションを提供することができる。
【図面の簡単な説明】
【０００８】
【図１】本考案実施形態による植栽容器構造の模式図である。
【図２】本考案実施形態による植栽容器構造の応用実例模式図である。
【考案を実施するための形態】
【０００９】
図１は、本考案実施形態による植栽容器構造の模式図である。図１に示すとおり、本考案の植栽容器構造は、少なくとも１個の固態骨質肥料容器１０及び植栽容器２０を有する。植栽容器２０には、培養土３０を収容でき、固態骨質肥料容器１０は、培養土３０中に挿入される。これにより、培養土３０は、盆栽、花卉、野菜、果樹等の植物４０の栽培に用いられる。
【００１０】
図１では、本考案の特徴を明確に説明するため、単一の固態骨質肥料容器１０を実施例として示すが、これにより本考案の範囲を限定するものではない。本考案は、１個以上の固態骨質肥料容器１０を、培養土３０中に挿入することができる。
【００１１】
具体的には、固態骨質肥料容器１０は、本体部１２及びビーク部１４を有する。本体部１２は、ビーク部１４を一体に連結する。且つビーク部１４は、尖端或いは側壁に位置する少なくとも１個の孔洞１６を有する。固態骨質肥料容器１０には、固態骨質肥料１８を収容でき、且つ固態骨質肥料１８は、孔洞１６を経て培養土３０中に流入する。また、本体部１２は、円形管状体で、ビーク部１４は、円錐形状を呈する。
【００１２】
好ましくは、固態骨質肥料容器１０に収容する固態骨質肥料１８は、ペットの遺骨、或いは火葬後の遺灰を含み、豊富な天然窒素及びリンを含み、且つ非常に優れた緩慢有効性を有するため、培養土３０中に染み込み、植物４０の成長に必要な元肥とすることができる。よって、樹木葬の方式を利用し、ペットの遺骸を弔う環境保護的風潮に対して、最良のソリューションを提供することができる。また、固態骨質肥料１８は、一般に市販されている骨粉を含むことができる。
【００１３】
また、本考案の固態骨質肥料容器１０は、上蓋部１９をさらに有する。上蓋部１９は、ネジによる螺合方式或いは緊迫方式などの離脱可能な方式で、本体部１２の開口に嵌めて設置して密封し、隔絶作用を提供し、固態骨質肥料１８を保護する。
【００１４】
固態骨質肥料容器１０の便のため、植栽容器２０は、植栽容器２０の外縁から内部へと延長して形成される少なくとも１個の固定部２１をさらに有する。且つ、各固定部２１は、固態骨質肥料容器１０を挿入して設置する孔洞を有し、これにより固態骨質肥料容器１０は、培養土３０中に垂直に挿入され、固定される。図中では、実施例として単一の固定部２１のみを示すが、本考案は１個以上の固定部２１を有することができる。
【００１５】
植栽容器２０に過度な水分が溜まらないよう、排水の便を図るため、植栽容器２０の底部には、多数の穿孔を有する。且つ植栽容器２０は、水受け盤（図示なし）をさらに有し、植栽容器２０の底部に設置でき、植栽容器２０の穿孔から流れ出る水分を受け止める。
【００１６】
図２は、本考案実施形態による植栽容器構造の応用実例模式図である。本考案の固態骨質肥料容器１０は、キャリアサポートフレーム５０に設置し、且つキャリアサポートフレーム５０は、多数のプラットフォーム５１及び多数の垂直バー５２により構成される。各プラットフォーム５１は水平に配置し、各垂直バー５２は垂直に配置する。且つ各プラットフォーム５１は、少なくとも１個の第一ネジ５３により、個別の垂直バー５２に螺合して連結され、これにより、固態骨質肥料容器１０は、プラットフォーム５１上に設置される。具体的には、プラットフォーム５１は、横方向バー５１ａ及びキャリア板５１ｂを有する。横方向バー５１ａは、少なくとも１個の第二ネジ５４により、キャリア板５１ｂに螺合して連結される。
【００１７】
上記を総合すると、本考案は固態骨質肥料容器を利用して固態骨質肥料を収容し、それを培養土中に挿入して設置し、植物の成長に必要な元肥を提供でき、特に固態骨質肥料の培養土への流入を緩やかにすることで、使用時間を延ばし、補充回数を減らし、人手のニーズを低下させ、特に樹木葬の方式を利用し、ペットの遺骸を弔う環境保護的風潮に対して、最良のソリューションを提供することができる。
【００１８】
本考案は、前述の通り、好ましい実施例を既に開示したが、これらは本考案に制約を加えるものではない。本業務に熟知する技術員が、本考案の技術手段の範囲を逸脱せずに、前述に開示した技術内容に基づいて若干の変更或いは修飾を加えて同等効果を有する実施例を生み出すことは可能であるが、本考案の技術手段を逸脱しない内容であり、本考案の技術的根本となるものに依拠して、以上の実施例に対して行なう如何なる簡単な修正、同等効果を有する変化、及び修飾は全て、本考案の技術手段の範囲内に属することをここに明記する。
【符号の説明】
【００１９】
１０  固態骨質肥料容器
１２  本体部
１４  ビーク部
１６  孔洞
１８  固態骨質肥料
１９  上蓋部
２０  植栽容器
２１  固定部
３０  培養土
４０  植物
５０  キャリアサポートフレーム
５１  プラットフォーム
５２  垂直バー
５３  第一ネジ
５４  第二ネジ
【図１】
0003210300.tif 000003
【図２】
0003210300.tif 000004
【手続補正書】
【提出日】平成29年3月9日(2017.3.9)
【手続補正１】
【補正対象書類名】実用新案登録請求の範囲
【補正対象項目名】全文
【補正方法】変更
【補正の内容】
【実用新案登録請求の範囲】
【請求項１】
植栽容器構造は、植物栽培に用い、キャリアサポートフレーム上に設置し、
該植栽容器構造は、植栽容器、少なくとも１個の固態骨質肥料容器を有し、
前記植栽容器は、培養土を入れるために用い、
前記少なくとも１個の固態骨質肥料容器は、前記培養土中に挿入し、本体部及びビーク部を有し、前記本体部は、前記ビーク部に一体に連結し、且つ前記ビーク部は、前記ビーク部の尖端或いは側壁に位置する少なくとも１個の孔洞を有し、前記各固態骨質肥料容器は、固態骨質肥料を収容するために用い、且つ前記固態骨質肥料は、孔洞を経て流出し、前記培養土中に染み込み、前記植物の成長に必要な元肥を提供し、
前記キャリアサポートフレームは、多数のプラットフォーム及び多数の垂直バーにより構成され、前記各プラットフォームは水平に配置し、前記各垂直バーは垂直に配置し、且つ前記各プラットフォームは、少なくとも１個の第一ネジにより、個別の垂直バーに螺合して連結され、これにより前記固態骨質肥料容器は、前記プラットフォーム上に設置されることを特徴とする植栽容器構造。
【請求項２】
前記固態骨質肥料容器は、上蓋部をさらに有し、且つ前記上蓋部は、離脱可能な方式で、前記本体部の開口に嵌めて設置して密封し、隔絶作用を提供し、前記固態骨質肥料を保護することを特徴とする請求項１に記載の植栽容器構造。
【請求項３】
前記離脱可能な方式は、ネジによる螺合方式或いは緊迫方式を含むことを特徴とする請求項２に記載の植栽容器構造。
【請求項４】
前記固態骨質肥料は、ペットの遺骨、火葬後の遺灰、或いは骨粉を含むことを特徴とする請求項１に記載の植栽容器構造。
【請求項５】
前記キャリアサポートフレームのプラットフォームは、横方向バー及びキャリア板を有し、
前記横方向バーは、少なくとも１個の第二ネジにより、前記キャリア板に螺合され連結されることを特徴とする請求項１に記載の植栽容器構造。
【請求項６】
前記植栽容器は、前記植栽容器の外縁から内部へと延長して形成される少なくとも１個の固定部をさらに有し、且つ前記各固定部は、前記固態骨質肥料容器を挿入して設置する孔洞を有することを特徴とする請求項１に記載の植栽容器構造。